(57)【要約】【課題】例えば植物を販売する際に使用して好適な容器であって、より機能性および利便性に優れた容器を提供する。【解決手段】本発明の容器１は、シート材１ａ，１ｂを重ね合わせて形成した容器であって、底部５ａ，５ｂ付近に容積を拡張可能とする折込部７ａ，７ｂ，８を有すると共に、両側部にそれぞれ側部開口３，４を有している。このため、収納物を安定して保持できると共に、側部開口が両側部にそれぞれ設けられているため、通気性、機能性および利便性に優れている。【選択図】　図１
2004059004.tif 000002
【特許請求の範囲】
【請求項１】
シート材を重ね合わせて形成した容器であって、該容器は、底部付近に容積を拡張可能とする折込部を有すると共に、両側部にそれぞれ側部開口を設けたことを特徴とする容器。
【請求項２】
前記容器は、上部付近に吊下げ用係合部を有している請求項１に記載の容器。
【請求項３】
前記側部開口の端縁部は波状に形成されている請求項１または２に記載の容器。
【請求項４】
前記容器は、上部付近に手を挿入して把持するための把持部を有している請求項１ないし３のいずれかに記載の容器。
【請求項５】
前記容器は、下部付近に底部付近を凹状に分離可能とするための切取線を有している請求項１ないし４のいずれかに記載の容器。
【発明の詳細な説明】
【０００１】
【発明の属する技術分野】
本発明は、例えば植物や人形等を収納して販売する際に使用して好適な容器に関する。
【０００２】
【従来の技術】
従来より、例えば鉢植えされた植物を店頭にて販売するに当たり、上方に向かって徐々に拡径し鉢を収納可能に構成すると共に、上下端がそれぞれ開口した樹脂製容器が一般的に多用されている。
【０００３】
【発明が解決しようとする課題】
しかし、上記容器は、鉢植えされた植物を鉢ごと被包し、購入に際して需要者が手を汚さないことのみに主眼が置かれた極めて簡素なものであり、それ以上の機能性および利便性を考慮したものではなかった。
【０００４】
そこで、本発明の課題は、植物などを販売する際に使用して好適な容器であって、より機能性および利便性に優れた容器を提供することにある。
【０００５】
【課題を解決するための手段】
上記課題を解決するものは、シート材を重ね合わせて形成した容器であって、該容器は、底部付近に容積を拡張可能とする折込部を有すると共に、両側部にそれぞれ側部開口を設けたことを特徴とする容器である。
【０００６】
前記容器は、透明または半透明の樹脂材料にて形成されていることが好ましい。前記容器は、上部付近に吊下げ用係合部を有していることが好ましい。前記側部開口の端縁部は波状に形成されていることが好ましい。前記容器は、上部付近に手を挿入して把持するための把持部を有していることが好ましい。前記容器は、下部付近に底部付近を凹状に分離可能とするための切取線を有していることが好ましい。前記切取線により分離される凹状底部の外面には、模様が付されていることが好ましい。
【０００７】
【発明の実施の形態】
以下、本発明の容器を、図１ないし図６に示した一実施例を用いて説明する。図１は本発明の容器の一実施例の正面図であり、図２は図１のＡ−Ａ線断面図であり、図３は図１に示した容器に植物を収納した状態を示す正面図であり、図４は図３の右側面図であり、図５は図１に示した容器に植物を収納し吊り下げた状態を示す斜視図であり、図６は図１に示した容器の他の作用を説明するための斜視図である。
【０００８】
この実施例の容器１は、図１および図２に示すように、シート材１ａ，１ｂが二重に重ね合わされて平板状に形成されており、底部付近に容積を拡張可能とする折込部７ａ，７ｂ，８を有すると共に、底部５ａ，５ｂと両肩部６ａ，６ｂがそれぞれシール（熔着）されている。さらに、両側部にそれぞれ側部開口３，４が設けられている。以下、各構成について詳述する。
【０００９】
この実施例の容器１は、例えば植物を培養体と共に収納し販売する際に使用して好適な容器である。以下、この実施例では、主として植物を収納するための容器として説明するが、本発明の容器１は、植物を収納するものに限定されるものではなく、収納物はどのようなものでもよい。
【００１０】
培養体とは、植物に養分を与え生育を促すものをいい、例えば土等の土壌材などからなり植物の根が繁殖する部位をいう。容器１は、このような培養体と共に植物を収納することができるように、底部付近に容積を拡張可能とする折込部７ａ，７ｂ，８が設けられている。なお、この実施例の容器１では、図３に示すように培養体を鉢２０内に配置して使用することの他、培養体が露呈した状態で植物を収納してもよい。
【００１１】
容器１を形成するシート材としては、収納物（例えば植物）を収納してさらに吊り下げた場合でも破損しない程度の強度を有するものであればどのようなものでもよく、例えば紙材などでもよいが、収納物が外部からでも十分目視できるように、透明または半透明な樹脂材料が好適である。
【００１２】
容器１の底部内面には、収納物を載置可能な収納物載置部２が、拡張することにより形成され、この収納物載置部２により、収納物を安定して保持できるように構成されている。
【００１３】
この収納物載置部２は、図２に示すように、シート材１ａ，１ｂの間に折り畳まれた折込形成部７ａ，７ｂの上面にて構成されている。より具体的には、折込形成部７ａ，７ｂは、底部５ａ，５ｂからそれぞれ上方に向かって延出し、略水平方向に延在する山折部８にて屈曲されて、シート材１ａ，１ｂの間に折り畳まれている。そして、折込形成部７ａ，７ｂは、山折部８を上方より押圧するようにして（例えば鉢の底面で押圧して）平面化することにより、図４に示すように、それらの上面にて収納物載置部２が形成される。
【００１４】
容器１の両側部には、図１に示すように、それぞれ側部開口３，４が設けられている。側部開口３，４は、収納物を収納する際の挿入口として機能させることができ、また、収納物が植物である場合は、植物を収納した状態における通気性並びに植物の成育性を確保するように機能する。さらに、収納した状態で植物の枝葉や花などが外部に露出可能とし、植物が容器１の内面にて抑圧されることを回避する機能も奏する。
【００１５】
なお、この実施例の側部開口３，４は、シート材１ａ，１ｂの両側部が、両肩部６ａ，６ｂから底部５ａ，５ｂ付近まで弧状に切り欠かれて形成されており、内部に収納物を収めると、図４に示すように、略楕円状に開口するように構成されている。ただし、本発明の容器における側部開口３，４の形態は、この実施例の形態に限定されるものではなく、両側部にそれぞれ開口が形成される態様であれば、例えば両側部に両肩部６ａ，６ｂから底部５ａ，５ｂ付近まで延在して設けられたスリットなどで構成されたものであってもよい。また、弧状ではなく、例えばコの字の切り欠きが両側部に対称的に構成されたものなどであってもよい。さらに、この実施例の側部開口３，４は、シート材１ａ，１ｂをシールする両肩部６ａ，６ｂが存在する側に設けられているが、両肩部６ａ，６ｂが存在する側は両肩部６ａ，６ｂから底部５に渡ってシールされ、シート材１ａ，１ｂ（図１中表面側に位置するシート材１ａと裏面側に位置するシート材１ｂ）に例えば円形等の開口がそれぞれ設けられ、側部開口としたものも本発明の範疇に包含される。
【００１６】
そして、側部開口３，４の端縁部（弧状に切り欠いた端辺部）３ａ，４ａは、図１および図４に示すように、波状に形成されている。これにより、端縁部３ａ，４ａが鋭利な直線形状ではなくなるため、収納物、特に傷つきやすい植物の葉などが側部開口３，４の端縁部３ａ，３ｂに接触した場合でも、鋭利な端部との接触が回避され収納物に損傷を与えることを防止できる。なお、波状の形態は、この実施例の端縁部３ａ，４ａのように湾曲して形成された波状が好ましいが、屈曲して形成された波状でもよい。
【００１７】
容器１の上部付近には、吊下げ用係合部９が設けられている。この吊り下げ用係合部９は、収納物を収納した状態で吊り下げて販売可能とするためのものであり、これにより、売り場の上部空間を有効活用でき、売り場面積の占有率を著しく低減できる。
【００１８】
この実施例の吊下げ用係合部９は、シート材１ａ，１ｂを貫通する貫通穴にて形成されているが、例えば図５に示すような掛止具３０と係合して、容器１を吊り下げ状態で保持可能とする形態であればどのようなものでもよい。
【００１９】
なお、掛止具３０は、上端部に設けられた係止体３１が吊下用支持スタンド（図示しない）に係止されて使用されるものである。また、この実施例の容器１の上端部位は、シート材１ａ，１ｂがシールされることなく開口しているが、通気性の観点からはこのように開口していることが好ましい。ただし、上端がシールされ封止されたものも本発明の範疇に包含される。
【００２０】
また、容器１の上部付近には、手を挿入して把持するための把持部１０が設けられている。この把持部１０が設けられることにより、需要者が購入した後、この把持部１９内に指先を挿入して持ち帰ることができ、より利便性が増大する。
【００２１】
この実施例の把持部１０は、図１に示すように、シート材１ａ，１ｂを水平方向に切断した直線スリット部１０ａと、直線スリット部１０ａの両側に下方に向かって湾曲して切断された湾曲スリット部１０ｂ，１０ｃとから構成されており、シート材１ａ，１ｂのいずれか一面側から指先を挿入すると、他面側にシート材１ａ，１ｂが押圧され指先挿入口が形成され把持可能となっている。ただし、把持部の形態はこの実施例の形態に限定されるものではなく、把持して持ち運びできる形態のものであればどのようなものでもよい。
【００２２】
容器１の下部付近には、底部付近を凹状に分離可能とするための切取線１１（シート材１ａ，１ｂを略水平方向に横断するように形成された破線状スリット）が設けられている。これにより、収納物が植物である場合、その購入後に、この切取線１１に沿って容器１を切断し、下方に残存した凹状底部１２を、図６に示すように受皿の代用として活用できる。また、凹状底部１２の外面には、受け皿として意匠性を高めるための模様が印刷などにより付されていてもよい。
【００２３】
つぎに、本発明の容器１の使用方法を、植物販売用容器として使用した場合を例に説明する。
容器１を使用するに当たっては、まず、培養体を備えた植物（鉢植えされたもの、鉢植えされず培養体が露呈したものを含む）を、側部開口３，４或いは上端開口から挿入し、図３および図４に示すように、収納物載置部２上に載置して内部に収納する。この状態で、図５に示すように、掛止具３０と吊り下げ用係合部９とを係合させ、吊下用支持スタンドなどに吊り下げて販売する。購入する際には、需要者は把持部１０に手を挿入して、掛止具３０と吊り下げ係合部９との係合を解除して購入する。持ち帰った後、容器１は切取線に沿って上方部分を切除し、図６に示すように凹状底部１２を受け皿代わりに使用して、この内部に水分を補給して植物を栽培することができる。
【００２４】
【発明の効果】
請求項１に記載した発明によれば、収納物を収納物載置部にて安定した状態で収納保持できると共に、機能性および利便性に優れている。
請求項２に記載した発明によれば、上記請求項１の効果に加え、収納物を吊下げた状態で販売することが可能となる。
請求項３に記載した発明によれば、上記請求項１または２の効果に加え、収納物が側部開口の端縁部に接触して損傷することを防止できる。
請求項４に記載した発明によれば、上記請求項１ないし３の効果に加え、需要者が購入後、持ち帰る際に便利なものとなる。
請求項５に記載した発明によれば、植物販売用容器として使用した場合、持ち帰った後、鉢受け皿の代用として活用できる。
【図面の簡単な説明】
【図１】本発明の容器の一実施例の正面図である。
【図２】図１のＡ−Ａ線端面図である。
【図３】図１に示した容器に植物を収納した状態を示す正面図である。
【図４】図３の右側面図である。
【図５】図１に示した容器に植物を収納し吊り下げた状態を示す斜視図である。
【図６】図１に示した容器の他の作用を説明するための斜視図である。
【符号の説明】
１　容器
２　収納物載置部
３　側部開口
４　側部開口
５　底部
６　両肩部
７　折込形成部
８　山折部
９　吊下げ用係合部
１０　把持部
１１　切取線
１２　凹状底部
【図１】
2004059004.tif 000003
【図２】
2004059004.tif 000004
【図３】
2004059004.tif 000005
【図４】
2004059004.tif 000006
【図５】
2004059004.tif 000007
【図６】
2004059004.tif 000008